(57)【要約】  医療器具その他を支持するブラケットアセンブリ。該アセンブリは、複数列の通気口が形成された支持部材を含み、該各列の通気口が所定距離だけ隔置されている。該ブラケットは下方に延びる複数の脚を有するベースストリップを含み、該脚は通気口よりも大きなフットプリントを有し、所定距離の整数倍に実質的に等しい距離だけベースストリップに沿って隔置される。これにより該ブラケットを支持部材における一列の通気口と位置合わせして脚が一列の通気口のうちの選択された１つの通気口の上部に位置することができるようになる。複数の脚を選択された通気口において支持部材に固定するための複数の固定手段が配設され、これによりベースストリップの脚間の全ての区画が支持部材の上方に隔置されて、下方に位置する支持部材における通気口が塞がれないようになる。【選択図】図２
2007536006.tif 000002
【特許請求の範囲】
【請求項１】
医療器具を支持するためのブラケットアセンブリであって、
複数列の通気口が形成された支持部材であって、該各列の通気口が所定の距離だけ隔置されている、支持部材と、
長手方向の中心線を有するベースストリップと、該ベースストリップから下方に延びる複数の脚であって、該脚間で前記ベースストリップの全ての区画の下方に延びている脚とを含む、ブラケットであって、前記脚の各々が、前記通気口の各々よりも大きなフットプリントを有しており、及び前記所定の距離の整数倍に実質的に等しい距離だけ前記ベースストリップに沿って隔置されて、該ブラケットを前記支持部材における一列の通気口と位置合わせして前記脚が前記一列の通気口のうちの選択された１つの通気口の上部に位置することができるようになっている、ブラケットと、
前記複数の脚を前記選択された通気口において前記支持部材に固定するための対応する複数の固定手段であって、前記ベースストリップの前記脚間の全ての区画を前記支持部材の上方に隔置させて、下方に位置する支持部材における通気口が塞がれないようにする、複数の固定手段と
を含む、医療器具を支持するためのブラケットアセンブリ。
【請求項２】
前記支持部材が、殺菌用トレイの底壁を含む、請求項１に記載のブラケットアセンブリ。
【請求項３】
前記ブラケットが、前記ベースストリップから前記脚と逆方向に延びるブレードを含む、請求項１に記載のブラケットアセンブリ。
【請求項４】
前記ブラケットが、殺菌に耐え得るプラスチック材料の成形により作成された単一部品からなる、請求項３に記載のブラケットアセンブリ。
【請求項５】
前記複数の固定手段が、前記ベースストリップの前記長手方向の中心線の一方の側にオフセットされている、請求項１に記載のブラケットアセンブリ。
【請求項６】
前記複数の固定手段の各々が、
対応する前記脚における固定用の孔と、
該脚の下方に位置する前記選択された通気口を通って該脚の前記固定用の孔内へと延びる固定具と
を含む、請求項１に記載のブラケットアセンブリ。
【請求項７】
前記複数の固定手段の各々が、
一端を有し、及び対応する前記脚から該脚の下方に位置する前記選択された通気口内へと下方に延びる、ポストと、
下方に位置する前記選択された通気口内の前記ポストを固定するための手段と
を含む、請求項１に記載のブラケットアセンブリ。
【請求項８】
前記ポストを固定する前記手段が、該ポストの前記一端にある拡張部分であって、前記下方に位置する前記選択された通気口の縁部の下側に係合する、拡張部分を含む、請求項７に記載のブラケットアセンブリ。
【請求項９】
前記拡張部分と前記支持部材との間で前記ポストの周囲に係合することができるクリップを更に含む、請求項８に記載のブラケットアセンブリ。
【請求項１０】
殺菌用の容器内で医療器具その他を支持するためのブラケットであって、
両側部と、該両側部間に延びてベースストリップを構成する下縁部とを有する、細長いブレードと、
前記ベースストリップの下方に突出し、及び前記ブレードの少なくとも一方の側部を超えて横方向に延びる、複数の脚であって、該脚間における前記ベースストリップの全ての区画の下方に延びている、複数の脚と、
前記ブレードの前記一方の側部に隣接して前記複数の脚の各々の上方に位置する一体的なノーズと、
各脚を通って前記上方に位置するノーズ内へと延びる固定用の孔と
を含む、殺菌用の容器内で医療器具その他を支持するためのブラケット。
【請求項１１】
各固定用の孔内に係合する固定具を更に含む、請求項１０に記載のブラケット。
【発明の詳細な説明】
【技術分野】
【０００１】
本発明は、手術器具保持ブラケットアセンブリに関し、特にトレイその他の容器内の一定の位置に非標準的な形状の手術器具を保持することができるブラケットに関する。
【背景技術】
【０００２】
従来技術では、一種類又は二種類の物品の位置を固定するための様々な保持手段が存在する。それらには、フック、ペグ、クリップ、ブラケット等が含まれる。かかる保持手段は、広範な異なる用途で使用することが可能である。それらは、手術器具等の様々な物品の位置を固定するために医療分野で一般に使用されており、一方、かかる物品は、様々な方法で移送され処理されている。したがって、かかる文脈で本発明を説明することとする。しかし、本発明は、医療分野に加えて他の分野における用途を有するものであることが理解されよう。
【０００３】
手術器具は、トレイ内で移送されることが多い。使用に先立ち、手術器具がトレイ内に配置されて殺菌される。トレイ内で様々な器具間の分離を維持するために、該器具はトレイ内に配置されたブラケットによって支持され又は保持される。殺菌の後、器具で満たされたトレイが手術室に移送されて外科チームの近くに配置され、該外科チームのメンバが、実施される特定の手術手術のために必要に応じて該トレイから器具を離脱させることが可能となる。通常、器具はトレイ内に選択的に配置され、特定の処置に必要となる順序でトレイから手に取ることができるようにする。かかるトレイの一例が本出願人の米国特許第5,681,539号に開示されている。
【０００４】
該特許から分かるように、トレイ内に器具を固定するための既知の保持手段は、トレイの底壁の所定位置に取り外し可能となるよう固定された底部フランジを有する比較的長いブレードから各々が構成される複数のブラケットを含む。該ブラケットのブレードは通常は、該ブラケットが手術器具に係合してそれを保持することができるように該手術器具を受容するよう構成された、スロット、開口、フィンガ等を有している。同特許で示されているように各ブラケットのフランジはトレイの底壁上に載置され、該底壁には多数の通気口が必ず形成されており、該通気口により殺菌処理中にトレイを通して蒸気を循環させることが可能となる。該ブラケットは、選択された通気口を利用することにより、該底壁に対して調節して固定することができる。換言すれば、トレイの底壁における選択された通気口と位置合わせすることが可能な固定手段がフランジに形成されている。これにより、相補的な固定手段をトレイの下側から取り付けて、選択された通気口においてフランジを底壁に固定することが可能となる。
【０００５】
フランジ上の固定手段は、トレイの底壁の選択された通気口に挿入されたネジ部品を受容するための単純な孔とすることが可能である。代替的に、フランジ上の固定手段は小径の複数の円筒状のポストとすることが可能であり、該ポストは、一層小さな直径のネックを有しており、選択された通気口内に受容することができるようにその大きさが決められてフランジに沿って配置され、例えば、トレイの底壁から下方へ突出するポストのネックの周囲にＣ形クリップを係合させることにより、トレイの底壁に取り外し可能となるよう固定することが可能である。対をなすブラケットをトレイ内に適切に位置決めすることにより、該ブラケットが異なる長さの医療器具の両端に係合してそれを保持することが可能となる。
【０００６】
かかるブラケットは、多くの用途で満足のいくものであるが、従来のブラケットを器具トレイ内に上述したように取り付けると、該ブラケットがその下方に位置するトレイ底壁の通気口を全て塞いでしまうため、それら通気口の全てを通した蒸気の循環が妨げられてしまう、ということが分かった。これを図４に示す。同図は、矩形配列をなす通気口Vが形成されたトレイ底壁W上に載置された従来のブラケットBを示している。該ブラケットBは、選択された通気口Vに挿入されてブラケットBの底部におけるフランジFの固定孔H内にねじ込まれたネジSによって底壁Wに固定されている。図４から分かるように、フランジFは、ブラケットの下にある通気口Vを全て覆っており、このため、それら通気口Vを介してトレイ内に蒸気が出入りするのが妨げられる。所与のトレイは多くのかかるブラケットBに合うものであるため、かかるブラケットの存在は、トレイを通した殺菌用流体の循環を実質的に低下させ得るものとなる。これは、ひいては、該ブラケットによりトレイ内に保持された医療器具を適切に殺菌するために要する時間を実質的に増大させるものとなる。
【０００７】
従来のブラケットはまた、ブラケットBの下側にある固定孔Hがドリル加工により形成されるという欠点を有する。ブラケットのこの余分な製造ステップは、製造コストを増大させ、製品販売全体におけるマイナス要因を構成するものとなる。
【発明の開示】
【発明が解決しようとする課題】
【０００８】
したがって、本発明の目的は、穴あきトレイ又は容器内に医療器具その他の物品を取り外し可能となるよう保持するためのブラケットアセンブリを提供することにある。
【０００９】
本発明の更なる目的は、該トレイ又は容器を通した殺菌用流体の循環に干渉することのない、この種のブラケットアセンブリを提供することにある。
【００１０】
本発明の別の目的は、殺菌用トレイ又は容器内に医療器具その他の物品を取り外し可能となるよう保持し、しかも必要に応じて器具又は物品を迅速に解放することを可能にする、改善されたブラケットを提供することにある。
【００１１】
本発明の別の目的は、大量生産が比較的容易で安価なブラケットを提供することにある。
【００１２】
その他の目的は、部分的には自明のところであり、部分的には以下で説明する。したがって、本発明は、以下の詳細な説明で例示する構成上の特徴、構成要素の組み合わせ、及び部品の配置を含むものであり、本発明の範囲は特許請求の範囲に示すこととする。
【課題を解決するための手段】
【００１３】
端的には、本発明のブラケットアセンブリは、穴のあいた支持部材に調節可能な状態で取り付けられたブラケットを含み、該穴のあいた支持部材は、複数列（例えば格子状）に配列された多数の通気口が形成された殺菌用トレイその他の容器の底壁とすることが可能である。該ブラケットは、直立するブレードを支持するベースストリップを含み、該直立するブレードには、その長さ方向に沿って、異なるサイズ及び形状の医療器具を受容するための形状及び配置を有する切り欠きやスリット等を設けることが可能である。ベースストリップと一体的に形成されるのが、長さ方向に連続する複数の脚であり、該脚は、ベースストリップの下方に延び、支持部材の通気口よりも大きなフットプリントを有する。
【００１４】
本発明によれば、各ブラケットから延びる脚は、支持部材における隣接する通気口間の中心間距離の整数倍である距離だけ隔置される。換言すれば、該ブラケットは、該ブラケットが所与の列の通気口と整列するように、及び該ブラケットの脚が該列内の選択された通気口上に位置するように、支持部材上に位置決めすることが可能である。次いで、該ブラケットは、それら選択された通気口において支持部材の下側から脚に係合することができる固定手段により、該支持部材に取り外し可能となるよう固定することが可能である。このようにしてブラケットが支持部材に固定されると、それら脚間のベースストリップの一区画又は複数区画が支持部材から隔置されて、それら区画の下にある通気口が該ベースストリップにより閉鎖されることがなくなる。その結果、支持部材におけるかかる妨げのない通気口を通して蒸気その他の流体が自由に循環することが可能となる。
【００１５】
好適には、ベースストリップから延びる一連の脚は、該ベースストリップの長手方向の中心線の一方の側へオフセットされる。これにより、ブラケットを支持部材の選択された列の通気口に180°離れた２つの異なる向きで固定することが可能となる。その結果、該ブラケットのブレード要素を、通気口の列と直交する方向にオフセットさせた支持部材上の２つの異なる位置に配置することが可能となる。換言すれば、支持部材に沿ったブラケットの位置及び間隔を、該ブラケットにより保持される１つ又は２つ以上の器具に適応させる（例えば器具の突起部分を回避する）よう調節することができる。
【００１６】
単一のブラケットを使用して比較的短い器具その他の物品を保持することが可能である。一層長い又は大きい器具又は物品の保持は、支持部材上で２つ又は３つ以上のブラケットを互いに平行に隔置して、それらブラケットがかかる器具又は物品の両端又は複数の部分を支持するようにすることを必要とし、該ブラケットの間隔又は位置は、該器具又は物品の長さ又はサイズによって決まる。
【００１７】
該アセンブリのブラケット要素は、比較的低コストで大量生産することができる単純な成形によるプラスチック部品とすることが可能である。このため、該ブラケットアセンブリは全体としてその作成が比較的経済的なものとなり、特に容器又はその類に器具その他の物品を保持することが重要である医療業界で幅広い用途を見出すものとなる。
【００１８】
本発明の特徴及び目的を一層完全に理解するために、添付図面に関連して以下の詳細な説明を参照されたい。
【発明を実施するための最良の形態】
【００１９】
図１を参照する。同図は、矩形の配列をなす小さな通気口12を含む底壁10aを有する全体的に矩形の医療用トレイ10を示している。該トレイ10内には、一対の互いに隔置されたブラケット（包括的に符号16で示す）が配置され、該ブラケット16は、後述する固定手段により底壁10aに対して取り外し可能となるよう固定される。該ブラケット16は、トレイ内で互いに平行に隔置され、及びトレイ内の１つ又は２つ以上の器具Iを支持し固定し、及び外科医その他の者が必要とした際に該１つ又は２つ以上の器具を容易に解放するよう配置される。
【００２０】
図２及び図２Ａを参照する。各ブラケット16は、適当な剛性を有する金属又はプラスチック材料から作成することが可能な単一の物品である。好適には、該ブラケットは、ポリエーテルイミド又はポリフェニルスルホン等の適当なプラスチック材料を成形することにより作成され、これにより該ブラケットが殺菌温度に耐えることが可能となり、及び従来の成形プロセスを使用して比較的安価に大量生産することができる。
【００２１】
ブラケット16は全体的に矩形のベースストリップ18を含み、該ベースストリップ18は、図示の実施形態では、直立するブレード22の下側の縁部又は表面により構成される。該ベースストリップ18から下方に延びているのが、直線的な一連の等間隔に隔置された脚24であり、該脚24の各々は好適には、ベースストリップ18の両側を超えて側方に延びる。脚24は、トレイ10で通気口12よりも大きなフットプリントを有するべきであり、該脚は、ベースストリップ18に沿って、トレイ10の底壁10aの行及び列をなす通気口12のうちの隣接する通気口12の中心間距離Dの整数倍の距離だけ隔置されるべきである。これにより、各ブラケット16の脚24がトレイの底壁10aにおける所与の列（又は行）の選択された通気口12と位置合わせされるように、該底壁10a上に各ブラケット16を位置決めすることが可能となる。
【００２２】
このため、図２に示すブラケットの実施形態では、脚24は、１番目、６番目、及び１１番目の通気口12といった通気口間の距離に対応する距離だけ隔置される。その結果、脚22を通気口12と位置合わせしてブラケット16を底壁10a上に載置すると、隣接する脚24間におけるベースストリップ18の１つ又は２つ以上の区画が底壁10a上に隔置されて、隣接する脚24間で該ベースストリップ18とその下方に位置する通気口12との間にギャップGが存在するようになり、該ブラケットがそれら通気口を塞ぐことがなくなる。
【００２３】
トレイの底壁12aにブラケット16を取り外し可能となるよう固定するために、脚24の下方に位置する通気口12にネジ部品26を挿入して該脚24に形成された孔28内にねじ込むことが可能である。
【００２４】
図２Ａ及び図２Ｂに示すように、好適には、各ブラケット16の一連の脚24は、ベースストリップ18の長手方向の中心線の一方の側にオフセットされて、そこに形成された孔28がブラケットのブレード22に対して横方向にオフセットされるようになっている。その結果、ブラケット16が、そのブレード端部22aが図２に示すように左方に面するようにトレイ10内に取り付けられると、該ブラケットは、該トレイの長さに沿って選択された位置に配置されることになる。一方、それと同じブラケットが180°回転されて、ブレード端部22aが右方に面する場合には、上述の横方向のオフセットにより、該ブラケット16がトレイ10に沿って、すなわち、ブレードの長手軸に対して垂直な方向に、図２Ａ及び図２Ｂの比較により示されるように距離Ａだけシフトされることになる。これにより、該ブラケットにより保持されるよう様々な医療器具Iに適応させるべくトレイ10内で該ブラケット位置を微調整することが可能になる。例えば、これにより、該ブラケット上に器具を載置する際に該器具の様々な突起を回避することが可能となる。
【００２５】
図２、図２Ａ、及び図２Ｂに最もよく示されているように、製造時にネジ部品用の孔28をブラケット16内に成形することを可能とするために、ブレード22に隣接して各脚24の上方に延びる一体的なノーズ32を該ブラケットに配設することが可能である。この場合、各脚24内の孔28は、対応するノーズ32内に延びてネジ26を受容するようネジ山が形成された延長部分28aを有することが可能である。
【００２６】
図１及び図２に示すように、ブラケットのブレード22には、当業界で周知の様々な異なる医療器具Iを受容し保持するための形状及び大きさを有する様々なスリット、スロット、又は切り欠き34a〜34dを形成することが可能である。
【００２７】
図３を参照する。同図には、もう１つのブラケットの実施形態16'が示されている。この場合には、ブラケットのベースストリップは、該ブラケットのブレード22'の下縁に沿って延びるフランジ18'により構成されている。該ブラケットの脚24'は、該フランジ18'の下側から下方に延びている。図２に関して上述したように、脚24'は、トレイ10の通気口12よりも大きなフットプリントを有しており、及び図１のトレイ10の底壁における通気口の配列のうちの所与の行又は列における該通気口の間隔の整数倍に相当する距離だけ隔置されている。
【００２８】
ブラケット16'をトレイの底壁10aに固定するためにネジ部品を使用する代わりに、この実施形態では、一層小さな直径のネック42aを有する円筒状のポスト42が各脚24'に形成される。これらのポストの寸法及びフランジ18'に沿った配置は、図１に示すトレイの底壁10aにおける通気口の所与の行又は列における選択された該通気口12内で受容することができるように定められる。該ポストの形状及び配置は、通気口12内にスナップ式に係合するように、又はトレイの底壁10aから下方へ突出するポストのネック42aの周囲に従来のＣ形クリップ44を係合させることによりトレイの底壁10aに対して取り外し可能となるよう固定することが可能となるように、定められる。
【００２９】
上述のように、ブラケット16,16'は、従来の成形材料及び技術を用いて極めて容易に作成することが可能である。それ故、かかるブラケットは、特に医療分野において、広範な用途を見出すものとなる。
【００３０】
上記説明から自明であるものにおいて上記目的が効率的に達成されることが理解されよう。また、本発明の範囲から逸脱することなく上記構成に特定の変更を加えることが可能である。例えば、ネジ26は、拡張可能な固定手段もしくは摩擦による固定手段又はリベットその他のものとすることが可能である。それ故、上記説明に含まれ若しくは添付図面に示した全ての事項は、例示的なものであって限定的な意味を有するものではない、と解釈されるべきである。
【００３１】
また、特許請求の範囲は、本書で説明した本発明の一般的な特徴及び特定の特徴の全てを網羅することを意図したものである、ということを理解されたい。
【図面の簡単な説明】
【００３２】
【図１】本発明を組み込んだ手術器具その類を保持するためのブラケットアセンブリを部分的に断面で示す斜視図である。
【図２】図１の2-2断面を拡大して示す図である。
【図２Ａ】図２のブラケットを第１の向きで示す端面図である。
【図２Ｂ】前記ブラケットを第２の向きで示す類似した図である。
【図３】図１のアセンブリで使用するための第２のブラケットの実施形態を示す、下から見た部分的な斜視図である。
【図４】医療器具を支持するための従来のブラケットを示す図２に類似した図である。
【図１】
2007536006.tif 000003
【図２】
2007536006.tif 000004
【図２Ａ】
2007536006.tif 000005
【図２Ｂ】
2007536006.tif 000006
【図３】
2007536006.tif 000007
【図４】
2007536006.tif 000008
【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
医療器具を支持するためのブラケットアセンブリであって、
複数列の通気口(12)が形成された支持部材(10a)であって該各列の通気口が所定の距離(D)だけ隔置されている支持部材(10a)と、長手方向の中心線を有するベースストリップ(18,18')と該ベースストリップを前記支持部材に固定するための複数の脚(24,24')とを含むブラケット(16,16')とを含み、
該脚(24,24')が、前記ベースストリップ(18,18')の全ての区画の下方に延びるように該ベースストリップ(18,18')から下方に延びており、該脚(24,24')の各々が、前記通気口(12)の各々よりも大きなフットプリントを有しており、及び前記所定の距離の整数倍に実質的に等しい距離だけ前記ベースストリップ(18,18')に沿って隔置されて、該ブラケット(16,16')を前記支持部材(10a)における一列の通気口(12)と位置合わせして前記脚(24,24')が前記一列の通気口(12)のうちの選択された１つの通気口(12)の上部に位置することが可能となるようになっており、前記複数の脚(24,24')を前記選択された通気口において前記支持部材(10a)に固定するための対応する複数の固定手段(24,28,42a,44)により、前記脚(24)間の前記ベースストリップ(18,18')の全ての区画を前記支持部材(10a)の上方に隔置させて、下方に位置する支持部材における通気口(12)が塞がれないようにすることを特徴とする、医療器具を支持するためのブラケットアセンブリ。
【請求項２】
前記支持部材が、殺菌用トレイの底壁(10a)を含む、請求項１に記載のブラケットアセンブリ。
【請求項３】
前記ブラケット(16,16')が、前記ベースストリップ(18,18')から前記脚(24,24')と逆方向に延びるブレード(22,22')を含む、請求項１に記載のブラケットアセンブリ。
【請求項４】
前記ブラケット(16,16')が、殺菌に耐え得るプラスチック材料の成形により作成された単一部品からなる、請求項３に記載のブラケットアセンブリ。
【請求項５】
前記複数の固定手段(26,28a)が、前記ベースストリップ(18)の前記長手方向の中心線の一方の側にオフセットされている、請求項１に記載のブラケットアセンブリ。
【請求項６】
前記複数の固定手段の各々が、
対応する前記脚(24)における固定用の孔(28)と、
該脚の下方に位置する前記選択された通気口(12)を通って該脚の前記固定用の孔(28)内へと延びる固定具(26)と
を含む、請求項１に記載のブラケットアセンブリ。
【請求項７】
前記複数の固定手段の各々が、
一端を有し、及び対応する前記脚(24')から該脚の下方に位置する前記選択された通気口(12)内へと下方に延びる、ポスト(42)と、
下方に位置する前記選択された通気口(12)内の前記ポスト(24')を固定するための手段(42a,44)と
を含む、請求項１に記載のブラケットアセンブリ。
【請求項８】
前記ポストを固定する前記手段が、該ポストの前記一端にある拡張部分(42)であって、前記下方に位置する前記選択された通気口(12)の縁部の下側に係合する、拡張部分(42)を含む、請求項７に記載のブラケットアセンブリ。
【請求項９】
前記拡張部分と前記支持部材(10a)との間で前記ポスト(42)の周囲に係合することができるクリップ(44)を更に含む、請求項８に記載のブラケットアセンブリ。
【請求項１０】
前記脚(24)が、前記ブレード(22)の少なくとも一方の側部を超えて横方向に延び、一体的なノーズ(32)が、前記ブレード(22)の一方の側部に隣接して前記複数の脚(24)の各々の上方に位置し、固定用の孔(28,28a)が、各脚(24)を通って前記上方に位置するノーズ(32)内へと延びることを特徴とする、請求項３に記載のブラケットアセンブリ。
【請求項１１】
各固定用の孔(28,28a)内に係合する固定具(26)を更に含む、請求項１０に記載のブラケット。 
【手続補正２】
【補正対象書類名】明細書
【補正対象項目名】０００３
【補正方法】変更
【補正の内容】
【０００３】
手術器具は、トレイ内で移送されることが多い。使用に先立ち、手術器具がトレイ内に配置されて殺菌される。トレイ内で様々な器具間の分離を維持するために、該器具はトレイ内に配置されたブラケットによって支持され又は保持される。殺菌の後、器具で満たされたトレイが手術室に移送されて外科チームの近くに配置され、該外科チームのメンバが、実施される特定の手術手術のために必要に応じて該トレイから器具を離脱させることが可能となる。通常、器具はトレイ内に選択的に配置され、特定の処置に必要となる順序でトレイから手に取ることができるようにする。かかるトレイの一例が本出願人の米国特許第5,540,901号、第5,681,539号、並びに第6,099,812号に開示されている。
【手続補正３】
【補正対象書類名】明細書
【補正対象項目名】００１３
【補正方法】変更
【補正の内容】
【００１３】
端的には、本発明は、医療器具を支持するためのブラケットアセンブリを含み、該ブラケットアセンブリは、複数列の通気口が形成された支持部材であって該各列の通気口が所定の距離だけ隔置されている支持部材と、長手方向の中心線を有するベースストリップと該ベースストリップを前記支持部材に固定するための複数の脚とを含むブラケットとを含み、該脚が、前記ベースストリップの全ての区画の下方に延びるように該ベースストリップから下方に延びており、該脚の各々が、前記通気口の各々よりも大きなフットプリントを有しており、及び前記所定の距離の整数倍に実質的に等しい距離だけ前記ベースストリップに沿って隔置されて、該ブラケットを前記支持部材における一列の通気口と位置合わせして前記脚が前記一列の通気口のうちの選択された１つの通気口の上部に位置することが可能となるようになっており、前記複数の脚を前記選択された通気口において前記支持部材に固定するための対応する複数の固定手段により、前記脚間の前記ベースストリップの全ての区画を前記支持部材の上方に隔置させて、下方に位置する支持部材における通気口が塞がれないようにすることを特徴とするものである。
本発明のブラケットアセンブリは、穴のあいた支持部材に調節可能な状態で取り付けられたブラケットを含み、該穴のあいた支持部材は、複数列（例えば格子状）に配列された多数の通気口が形成された殺菌用トレイその他の容器の底壁とすることが可能である。該ブラケットは、直立するブレードを支持するベースストリップを含み、該直立するブレードには、その長さ方向に沿って、異なるサイズ及び形状の医療器具を受容するための形状及び配置を有する切り欠きやスリット等を設けることが可能である。ベースストリップと一体的に形成されるのが、長さ方向に連続する複数の脚であり、該脚は、ベースストリップの下方に延び、支持部材の通気口よりも大きなフットプリントを有する。
【国際調査報告】
2007536006.tif 000009
2007536006.tif 000010
2007536006.tif 000011